(57)【要約】【課題】使用者が開け易く、しかも無用に開かない梱包箱を提供する。【解決手段】箱本体２の周壁に切り取り線５が設けられている。蓋壁３側の切込状部３３に箱本体２の周壁側の差込片４を差し込み、差込片４に設けられている係合部を切込状部３３の周縁部に係合させることによって、蓋壁３が無用に開くことを抑制することができる。一方、使用者が切り取り線５を破断させることによって、蓋壁３の箱本体２の周壁に対する固定が解除されるので、蓋壁３を容易に開けることができる。【選択図】図１
0003196960.tif 000002
【実用新案登録請求の範囲】
【請求項１】
周壁を有する有底筒状の箱本体と、
基端部が前記周壁の先端部に連なり、前記基端部を中心に揺動することによって前記箱本体の開口を開閉し、該開口の閉鎖時に前記開口に挿入される舌片が先端部に突設してあるヒンジ蓋状の蓋壁と
を備える梱包箱において、
前記舌片には切込状部が設けてあり、
前記周壁の先端部に突設してあり、前記蓋壁が前記開口を閉鎖している場合に前記切込状部に差し込まれる差込片を備え、
該差込片には、前記切込状部に差し込まれているときに前記切込状部の周縁部に係合する係合部が設けてあり、
前記周壁には、前記差込片を前記周壁から取り外すための切り取り線が設けられていることを特徴とする梱包箱。
【請求項２】
前記切り取り線は、前記周壁の先端部の一部から他部に亘って、前記差込片と前記周壁との境界部分を囲むように設けられていることを特徴とする請求項１に記載の梱包箱。
【請求項３】
前記切り取り線はミシン目と切れ目とを有することを特徴とする請求項２に記載の梱包箱。
【請求項４】
前記差込片と前記周壁との境界部分には折り目が設けられており、
前記切り取り線は、
前記折り目の長さ方向両端部に配されている線両端部と、
前記折り目の長さ方向中央部を迂回して前記周壁に設けられている線中央部と
を有することを特徴とする請求項１に記載の梱包箱。
【請求項５】
前記周壁には、
前記周壁の先端部から天地方向の中途まで設けられた２本の切れ目が設けられており、
前記周壁における前記２本の切れ目の間に位置する部分の先端部に前記差込片が突設してあることを特徴とする請求項１乃至４の何れか一項に記載の梱包箱。
【考案の詳細な説明】
【技術分野】
【０００１】
本考案は、有底筒状の箱本体とヒンジ蓋状の蓋壁とを備える梱包箱に関する。
【背景技術】
【０００２】
従来、物品梱包用の梱包箱が提案されている（特許文献１，２参照）。
特許文献１に記載の梱包箱は、前板に設けられている差込片を、蓋板と舌部との境界部分に設けられている嵌込孔に差し込み、蓋板に連なる舌部を前板側の係止溝に差し込むことによって、蓋板を前板に固定する構成である。前板は外側前面板と内側前面板との二重構造であり、外側前面板と内側前面板との境界部分に係止溝が設けられている。
【０００３】
特許文献２に記載の梱包箱は、前板に連なるフラップと前板との境界部分に設けられている差込口に、蓋板に連なる差込片を差し込み、差込片の両側に突設してある肩部を差込口の端縁に係合させることによって、蓋板を前板に固定する構成である。
【先行技術文献】
【特許文献】
【０００４】
【特許文献１】特開２００７−３９０７２号公報
【特許文献２】特許第３９４２３６９号公報
【考案の概要】
【考案が解決しようとする課題】
【０００５】
特許文献１に記載の梱包箱の場合、前板の二重構造を廃止すると、梱包箱の形状が簡易になる。しかしながら、舌部を係止溝に差し込めないので、蓋板が無用に開き易くなる。かといって、シール部材を追加して蓋板を前板に固定すると、部品点数が増大する。
そこで、特許文献２に記載されているような肩部を特許文献１に記載の差込片に設け、肩部と嵌込孔の周縁部との係合によって前板の無用の開放を阻止することが考えられる。この場合、形状の簡易化と部品点数の抑制とを両立することができる。ところが、この場合には、蓋板の前板への固定が強固すぎて、使用者が蓋板を開け難い可能性がある。
【０００６】
本考案は斯かる事情に鑑みてなされたものであり、その主たる目的は、使用者が開け易く、しかも無用に開かない梱包箱を提供することにある。
【課題を解決するための手段】
【０００７】
本考案に係る梱包箱は、周壁を有する有底筒状の箱本体と、基端部が前記周壁の先端部に連なり、前記基端部を中心に揺動することによって前記箱本体の開口を開閉し、該開口の閉鎖時に前記開口に挿入される舌片が先端部に突設してあるヒンジ蓋状の蓋壁とを備える梱包箱において、前記舌片には切込状部が設けてあり、前記周壁の先端部に突設してあり、前記蓋壁が前記開口を閉鎖している場合に前記切込状部に差し込まれる差込片を備え、該差込片には、前記切込状部に差し込まれているときに前記切込状部の周縁部に係合する係合部が設けてあり、前記周壁には、前記差込片を前記周壁から取り外すための切り取り線が設けられていることを特徴とする。
【０００８】
本考案に係る梱包箱は、前記切り取り線は、前記周壁の先端部の一部から他部に亘って、前記差込片と前記周壁との境界部分を囲むように設けられていることを特徴とする。
【０００９】
本考案に係る梱包箱は、前記切り取り線はミシン目と切れ目とを有することを特徴とする。
【００１０】
本考案に係る梱包箱は、前記差込片と前記周壁との境界部分には折り目が設けられており、前記切り取り線は、前記折り目の長さ方向両端部に配されている線両端部と、前記折り目の長さ方向中央部を迂回して前記周壁に設けられている線中央部とを有することを特徴とする。
【００１１】
本考案に係る梱包箱は、前記周壁には、前記周壁の先端部から天地方向の中途まで設けられた２本の切れ目が設けられており、前記周壁における前記２本の切れ目の間に位置する部分の先端部に前記差込片が突設してあることを特徴とする。
【００１２】
本考案にあっては、蓋壁に舌片が突設され、箱本体の周壁に差込片が突設されている。
従って、舌片に設けられている切込状部に差込片を差し込み、差込片に設けられている係合部を切込状部の周縁部に係合させれば、差込片が切込状部から無用に抜脱されることはない。つまり、蓋壁が箱本体の周壁に確実に固定される。
一方、使用者が梱包箱に外力を加えて切り取り線を破断させれば、箱本体の周壁から差込片を取り外す（千切り取る）ことは容易である。差込片を箱本体の周壁から千切り取れば、係合部と切込状部の周縁部との係合が解除されていない場合であっても、蓋壁の箱本体の周壁に対する固定が解除され、蓋壁は容易に開く。
【００１３】
本考案にあっては、箱本体の周壁における切り取り線に囲まれた部分（以下、囲繞部分という）の先端部に差込片が突設してある。蓋壁が閉じている場合、梱包箱の外側から例えば囲繞部分に外力を加えれば、切り取り線は容易に破断する。使用者は、差込片を囲繞部分ごと箱本体の周壁から千切り取る。
【００１４】
本考案にあっては、切り取り線が部分的に切れ目を有するので、破断が容易である。
【００１５】
本考案にあっては、差込片と箱本体の周壁との境界部分に折り目が設けられている。折り目の長さ方向両端部には、切り取り線の一部（線両端部）が配されている。
蓋壁が閉じている場合、切り取り線の線中央部と折り目とに囲まれている部分（以下、線囲繞部という）に、梱包箱の外側から外力を加えれば、切り取り線の線中央部は容易に破断する。このとき、折り目を外側から見て山折りにして線囲繞部を梱包箱の内部に押し込めば、箱本体に新たな開口が形成される。この開口から梱包箱の内部に指を挿入して梱包箱の内側から外力を加えれば、切り取り線の線両端部は容易に破断する。使用者は、線囲繞部ごと、差込片を箱本体の周壁から千切り取る。
【００１６】
本考案にあっては、箱本体の周壁における２本の切り目の間が差込片を支持する。
【考案の効果】
【００１７】
本考案の梱包箱による場合、切込状部に差込片を差し込み、差込片に設けられている係合部を切込状部の周縁部に係合させることによって、蓋壁が無用に開くことを抑制することができる。一方、使用者が切り取り線を破断させることによって、蓋壁の箱本体の周壁に対する固定が解除されるので、蓋壁を容易に開けることができる。
【図面の簡単な説明】
【００１８】
【図１】本考案の実施の形態１に係る梱包箱（梱包前）を略示する斜視図である。
【図２】梱包箱（開封後）を略示する斜視図である。
【図３】梱包箱のブランクを略示する平面図である。
【図４】梱包箱のブランクを略示する拡大平面図である。
【図５】本考案の実施の形態２に係る梱包箱を略示する斜視図である。
【図６】梱包箱のブランクを略示する平面図である。
【図７】本考案の実施の形態３に係る梱包箱を略示する斜視図である。
【図８】梱包箱のブランクを略示する平面図である。
【考案を実施するための形態】
【００１９】
以下、本考案を、その実施の形態を示す図面に基づいて詳述する。以下の説明では、図において矢符で示す上下、前後、及び左右を使用する。
【００２０】
実施の形態  １．
図１及び図２は、本考案の実施の形態１に係る梱包箱１を略示する斜視図である。
梱包箱１は、図示しない物品を梱包するためのものである。図１は物品の梱包前を示しており、図２は梱包箱１の開封後を示している。
図３及び図４は、梱包箱１のブランク１０を略示する平面図及び拡大平面図である。図３及び図４は、ブランク１０における梱包箱１の外側に相当する面を示している。
ブランク１０は１枚の紙製部材であり、梱包箱１は、ブランク１０を折り曲げて適宜に糊付けすることによって形成されている。
【００２１】
図３及び図４に示す細線、極細線、太線、二点鎖線、及び破線は、外形線、折り目、切れ目、折り目兼用の切り取り線、及び通常の切り取り線である。
以下の記述で特に断らない限り、折り目はブランク１０に筋目加工を施すことによって形成されている。通常の切り取り線と折り目兼用の切り取り線とは、何れもブランク１０にミシン目加工を施すことによって形成されている。ただし、折り目兼用の切り取り線はブランク１０を折り曲げて梱包箱１を形成する際に折り目として用いられるが、通常の切り取り線が梱包箱１の形成時に折り目として用いられることはない。
【００２２】
梱包箱１は、箱本体２と蓋壁３と差込片４とを備えている。梱包箱１には、ミシン目を用いてなる切り取り線５が設けられている。
箱本体２は底壁２１と前壁２２と後壁２３と左壁２４と右壁２５とフラップ２６，２６と中仕切２７とを備えている。箱本体２は連結部１１と糊代１６，１７とを更に備えているが、糊代１６，１７は図１及び図２では図示していない。
ブランク１０は連結部１１と底片１２〜１５と糊代１６，１７と前壁２２〜中仕切２７と蓋壁３と差込片４とを備えている。
蓋壁３は蓋本体３１と舌片３２とを備えている。舌片３２には切込状部３３が設けてある。
差込片４には係合部４１，４１が設けてある。
切り取り線５は、線両端部５１，５１と線中央部５２とを有している。線両端部５１，５１夫々は折り目兼用の切り取り線であり、線中央部５２は通常の切り取り線である。
【００２３】
箱本体２は有底四角筒状である。
底壁２１は、箱本体２の開口２０に臨むワンタッチ底状であり、前壁２２〜右壁２５の下辺部に連なる各平板状の底片１２〜１５が互いに組み合わせられることによって形成されている。底片１２，１３には、底片１２〜１５の組み合わせの際に夫々を折り曲げるための折り目がミシン目加工によって形成されている。なお、底壁２１は地獄底状又はキャラメル底状等でもよい。
【００２４】
前壁２２〜右壁２５は夫々矩形平板状であり、箱本体２の周壁を構成している。前壁２２〜右壁２５夫々の上辺部は周壁の先端部である。開口２０は、前壁２２〜右壁２５に囲繞された平面視矩形状である。
前壁２２の右辺部には右壁２５が連なっている。前壁２２の左右方向中央部には、互いに平行な２本の切れ目２８，２８が左右方向に並設されている。切れ目２８，２８間の左右方向の長さ（切れ目２８，２８の離隔距離）は長さＬ１（例えば39mm）である。各切れ目２８は、前壁２２の上辺部から上下方向の中途まで上下方向に設けられている。
前壁２２には、切れ目２８，２８の下端部同士を結ぶ折り目２８１が設けられている。前壁２２における切れ目２８，２８の間に位置する部分（以下、支持部２８２という）は、折り目２８１を中心に揺動可能である。
【００２５】
フラップ２６，２６は左壁２４及び右壁２５夫々の上辺部に連なる矩形平板状である。フラップ２６，２６は、蓋壁３が開口２０を閉鎖している場合に蓋壁３の蓋本体３１の下側から蓋本体３１を支持し補強する。
中仕切２７は、左壁２４及び右壁２５に対面して適長離隔配置された平板状であり、箱本体２の内部を左右方向に２分割している。
【００２６】
糊代１６は、前壁２２の左辺部に連なる平板状であり、左壁２４の内面に対面して糊付け（即ち接着剤を用いて接着）されている。
連結部１１は糊代１６及び中仕切２７夫々の後端部を連結する平板状であり、前壁２２の内面に対面して接触配置されている。
糊代１７は中仕切２７の前端部に連なる平板状であり、前壁２２の内面に対面して糊付けされている。
連結部１１と糊代１６及び中仕切２７夫々との境界部分、並びに糊代１７と中仕切２７との境界部分は、ブランク１０にミシン目加工を施すことによって形成された折り目である。
【００２７】
蓋壁３はヒンジ蓋状であり、蓋壁３の基端部を中心に揺動することによって開口２０を開閉する。蓋壁３の基端部は後壁２３の上辺部に連なっている。以下では、蓋壁３が閉められている場合の上下前後左右方向を用いて説明する。
蓋本体３１は矩形平板状であり、蓋壁３が開口２０を閉鎖している場合に箱本体２の天壁として機能する。蓋本体３１の前辺部及び後辺部は蓋壁３の基端部及び先端部である。
舌片３２は台形平板状であり、台形の下底に相当する上辺部が蓋本体３１の前辺部に連なっている。舌片３２は、蓋本体３１と舌片３２との境界部分に設けられている折り目が折り曲げられることによって、蓋本体３１の前辺部から下方へ突出している。舌片３２は、蓋壁３による開口２０の閉鎖時に開口２０に挿入される。このとき、舌片３２はフラップ２６，２６夫々の前端部と前壁２２との間隙を通る。
切込状部３３は、舌片３２の下辺部に沿って、舌片３２の左右方向中央部に設けられている。切込状部３３の左右方向の長さは、長さＬ２（Ｌ２＞Ｌ１。例えば40mm）である。
【００２８】
差込片４は、前壁２２の上辺部に突設してあり、更に詳細には支持部２８２の先端部に突設してある。つまり、支持部２８２は差込片４を支持している。差込片４は台形平板状であり、台形の下底側に相当する一辺部が支持部２８２の先端部に連なっている。
差込片４と支持部２８２との境界部分には、折り目６１と切り取り線５の線両端部５１，５１とが設けられている。折り目６１及び線両端部５１，５１夫々は左右方向の直線状であり、折り目６１の左右両端部に連なって線両端部５１，５１が配されている。折り目６１及び線両端部５１，５１からなる折り目（以下、複合折り目という）の長さは差込片４と支持部２８２との境界部分の左右方向の長さに等しい。切り取り線５の線中央部５２は半円状であり、両端部が左側の線両端部５１の右端部と右側の線両端部５１の左端部に連なり、折り目６１を迂回するようにして支持部２８２に設けられている。
つまり、切り取り線５は、差込片４と支持部２８２との境界部分に設けられている複合折り目の長さ方向両端部に配されている線両端部５１，５１と、複合折り目の長さ方向中央部である折り目６１を迂回して前壁２２に設けられている線中央部５２とを有する。
【００２９】
差込片４は、蓋壁３が開口２０を閉鎖している場合に切込状部３３に差し込まれる。このとき、差込片４は、複合折り目が折り曲げられた状態で横姿勢に保たれる。
差込片４の一辺部における左右両端部には、互いに背反する左右方向に突出する係合部４１，４１が設けられている。係合部４１，４１の突出方向先端部同士の離隔距離は長さＬ３（Ｌ３＞Ｌ２。例えば43mm）である。差込片４が切込状部３３に差し込まれると、係合部４１，４１は切込状部３３の左右方向両端部の周縁部に係合する。この結果、切込状部３３に差し込まれた差込片４が切込状部３３から無用に抜け出ることが抑制される。換言すれば、開口２０を閉鎖している蓋壁３が、前壁２２に確実に固定される。故に、物品を梱包している梱包箱１の蓋壁３が無用に開くことが抑制される。
【００３０】
梱包箱１を開封する場合、使用者は、梱包箱１に外力を加えて切り取り線５を破断させる。更に詳細には、まず使用者は、線中央部５２と折り目６１とに囲まれている部分（以下、線囲繞部２２ａという）に梱包箱１の外側から後方へ外力を加える。すると、線中央部５２は容易に破断する。次に使用者は、線囲繞部２２ａを梱包箱１の内部に押し込む。このとき、線囲繞部２２ａが折り目６１を中心に後方へ揺動すると共に舌片３２が後方へ揺動し、前壁２２に開口が形成される。次いで使用者は、前壁２２に形成された開口から梱包箱１の内部に指を挿入して梱包箱１の内側から上方へ梱包箱１に外力を加える。すると、線両端部５１，５１が容易に破断する。
このようにして使用者は、線囲繞部２２ａごと差込片４を前壁２２から千切り取る。この結果、蓋壁３の前壁２２に対する固定が解除される。故に、蓋壁３は容易に開く。このとき、係合部４１，４１と切込状部３３の周縁部との係合が解除されている必要はない。
【００３１】
箱本体２における差込片４と共に千切り取られる部分は線囲繞部２２ａのみである。つまり、差込片４を千切り取っても、箱本体２の破損度合は小さい。故に、開封後の梱包箱１を物品の収容箱として再利用し易い。
なお、箱本体２の天地方向は前後方向又は左右方向でもよい。長さＬ１は長さＬ２又は長さＬ３より長くてもよい。物品の梱包時に差込片４を蓋本体３１に糊付けするか、又は線囲繞部２２ａを舌片３２に糊付けすれば、蓋壁３は前壁２２に更に確実に固定される。
【００３２】
実施の形態  ２．
図５は、本考案の実施の形態２に係る梱包箱１を略示する斜視図である。図６は、梱包箱１のブランク１０を略示する平面図である。図５及び図６は図２及び図３に対応するが、梱包箱１及びブランク１０夫々の上部以外の図示は省略している。
本実施の形態の梱包箱１は、実施の形態１の梱包箱１と略同様の構成である。ただし、本実施の形態の梱包箱１は、中仕切２７、連結部１１、及び糊代１７を備えておらず、実施の形態１の切り取り線５及び折り目６１に替えて、折り目６２及び切り取り線６３が設けられている。以下では、実施の形態１との差異について説明し、その他、実施の形態１に対応する部分には同一符号を付してそれらの説明を省略する。
【００３３】
折り目６２は、実施の形態１の複合折り目に対応する。
切り取り線６３は長円状のミシン目であり、前壁２２の上辺部において、左側の切れ目２８の更に左側から右側の切れ目２８の更に右側に亘って、支持部２８２（延いては折り目６２。即ち差込片４と前壁２２との境界部分）を囲むように設けられている。なお、本実施の形態の長さＬ１が折り目６２の左右方向の長さよりも長い場合、切り取り線６３は支持部２８２の内部に設けられていてもよい。
【００３４】
梱包箱１を開封する場合、使用者は、例えば切り取り線６３に囲まれている部分（以下、囲繞部分２２ｂという）に梱包箱１の外側から後方へ外力を加える。すると、切り取り線６３が容易に破断する。即ち、使用者は囲繞部分２２ｂごと差込片４を前壁２２から千切り取る。この結果、蓋壁３の前壁２２に対する固定が解除される。故に、係合部４１，４１と切込状部３３の周縁部との係合が解除されていなくても、蓋壁３は容易に開く。
以上のような梱包箱１は、実施の形態１の梱包箱１に比べて開封時の箱本体２の破損度合が大きいものの、開封手順が簡易という利点がある。
【００３５】
実施の形態  ３．
図７は、本考案の実施の形態３に係る梱包箱１を略示する斜視図である。図８は、梱包箱１のブランク１０を略示する平面図である。図７及び図８は図５及び図６に対応する。
本実施の形態の梱包箱１は、実施の形態２の梱包箱１と略同様の構成である。ただし、本実施の形態の梱包箱１には、実施の形態２の切り取り線６３に替えて、切り取り線６４が設けられている。以下では、実施の形態２との差異について説明し、その他、実施の形態２に対応する部分には同一符号を付してそれらの説明を省略する。
【００３６】
切り取り線６４は、切れ目２８，２８とミシン目６５とを有する。ミシン目６５は切れ目２８，２８の下端部同士を結んでいる。ミシン目６５は折り目２８１を迂回して支持部２８２以外の前壁２２に設けられた半円状であるが、これに限定されず、折り目２８１を迂回して支持部２８２に設けられていてもよく、折り目２８１に設けられていてもよい。
以上のような梱包箱１は、切り取り線６４に囲まれている部分に梱包箱１の外側から後方へ外力を加えれば、実施の形態２の梱包箱１よりも容易に開封される。何故ならば、切り取り線６４は部分的に切れ目２８，２８を有するので、実施の形態２の切り取り線６３のように全部がミシン目である場合よりも破断が容易だからである。しかも、実施の形態２の梱包箱１に比べて開封時の箱本体２の破損度合が小さい。
なお、本実施の形態２，３の梱包箱１は、中仕切２７、連結部１１、及び糊代１７を備えていてもよい。また、本実施の形態１の梱包箱１は、中仕切２７、連結部１１、及び糊代１７を備えていなくてもよい。実施の形態１〜３の梱包箱１の外観は四角柱状に限定されず、四角柱状以外の柱状又は非柱状でもよい。梱包箱１は、底側も天側と同様に開封可能な構成であってもよい。
【００３７】
今回開示された実施の形態は、全ての点で例示であって、制限的なものではないと考えられるべきである。本考案の範囲は、上述した意味ではなく、実用新案登録請求の範囲と均等の意味及び実用新案登録請求の範囲内での全ての変更が含まれることが意図される。
また、本考案の効果がある限りにおいて、梱包箱１に、実施の形態１〜３に開示されていない構成要素が含まれていてもよい。
各実施の形態に開示されている構成要件（技術的特徴）はお互いに組み合わせ可能であり、組み合わせによって新しい技術的特徴を形成することができる。
【符号の説明】
【００３８】
１    梱包箱
２    箱本体
２０  開口
２２  前壁（周壁）
２８  切れ目
３    蓋壁
３２  舌片
３３  切込状部
４    差込片
４１  係合部
５，６３，６４  切り取り線
５１  線両端部
５２  線中央部
６１  折り目
６５  ミシン目
【図１】
0003196960.tif 000003
【図２】
0003196960.tif 000004
【図３】
0003196960.tif 000005
【図４】
0003196960.tif 000006
【図５】
0003196960.tif 000007
【図６】
0003196960.tif 000008
【図７】
0003196960.tif 000009
【図８】
0003196960.tif 000010